(57)【要約】      （修正有）【課題】画像の表示領域を最大限に確保し、操作指示入力のための操作スイッチを表示できる画像表示装置及び撮影装置を得る。【解決手段】ＬＣＤ３８に操作スイッチを表示／非表示させる為に用いる操作スイッチ表示スイッチ（操作部５６）を設ける。ＬＣＤ３８の表示領域の全域により撮影画像が表示され、操作スイッチ表示スイッチがＬＣＤ３８に操作スイッチを表示させる為操作された時、表示中の画像を縮小し、これによって表示領域に生じた空き領域に操作スイッチを表示する様ＬＣＤ３８を制御。ＬＣＤ３８により撮影画像及び操作スイッチが個別に表示され、かつ操作スイッチ表示スイッチが操作スイッチを非表示とする様に操作されたとき、表示中の操作スイッチを消し、これによって表示領域に生じた空き領域も表示対象領域とするように表示中の撮影画像を拡大して表示する様ＬＣＤ３８をＬＣＤインタフェース３６を介して制御。【選択図】        図２
2006344168.tif 000002
【特許請求の範囲】
【請求項１】
少なくとも所定種類の画像と所定種類の操作スイッチを表示するための表示手段と、
前記表示手段の表示面上に設けられると共に、表面に触れることにより前記表示手段に表示された前記操作スイッチを指定可能なタッチパネルと、
前記表示手段に前記操作スイッチを表示させるとき及び前記表示手段に表示された前記操作スイッチを非表示とするときに操作される操作手段と、
前記表示手段の表示領域の全域又は略全域により前記画像が表示されているときで、かつ前記操作手段が前記表示手段に前記操作スイッチを表示させるために操作されたとき、表示中の前記画像を縮小して表示すると共に、これによって前記表示領域に生じた空き領域に前記操作スイッチを表示するように前記表示手段を制御し、前記表示手段により前記画像及び前記操作スイッチが個別に表示されているときで、かつ前記操作手段が前記操作スイッチを非表示とするために操作されたとき、表示中の前記操作スイッチを非表示とすると共に、これによって前記表示領域に生じた空き領域も表示対象領域とするように表示中の前記画像を拡大して表示するように前記表示手段を制御する制御手段と、
を備えた画像表示装置。
【請求項２】
前記操作手段として、前記タッチパネルの表面の所定領域を用いる
請求項１記載の画像表示装置。
【請求項３】
前記制御手段は、前記表示手段により前記画像及び前記操作スイッチを個別に表示するときで、かつ前記画像のアスペクト比と前記表示領域のアスペクト比との関係で、前記画像を前記表示手段により表示した場合に前記表示領域に空き領域が存在するときには、前記画像を縮小することなく表示すると共に当該空き領域に前記操作スイッチを表示するように前記表示手段を制御する
請求項１又は請求項２記載の画像表示装置。
【請求項４】
前記画像のアスペクト比を４：３とし、かつ前記表示領域のアスペクト比を１６：９とすると共に、
前記制御手段は、前記表示領域の水平方向端部に存在する前記空き領域に前記操作スイッチを表示するように前記表示手段を制御する
請求項３記載の画像表示装置。
【請求項５】
前記画像のアスペクト比を１６：９とし、かつ前記表示領域のアスペクト比を４：３とすると共に、
前記制御手段は、前記表示領域の垂直方向端部に存在する前記空き領域に前記操作スイッチを表示するように前記表示手段を制御する
請求項３記載の画像表示装置。
【請求項６】
請求項１乃至請求項５の何れか１項記載の画像表示装置と、
撮影によって前記画像を示す画像データを取得する撮像手段と、
を備えた撮影装置。
【請求項７】
装置本体の姿勢を検出する姿勢検出手段を更に備え、
前記制御手段は、前記姿勢検出手段による検出結果に応じて前記操作スイッチを表示する際の前記表示領域における表示位置を決定する
請求項６記載の撮影装置。
【請求項８】
前記撮像手段により撮影を行う撮影モードと、前記撮像手段によって取得された画像データにより示される画像を前記表示手段によって再生表示する再生モードの２つの動作モードを備え、
前記制御手段は、設定されている動作モードに応じて前記操作スイッチを表示する際の前記表示領域における表示位置を決定する
請求項６又は請求項７記載の撮影装置。
【発明の詳細な説明】
【技術分野】
【０００１】
本発明は、画像表示装置及び撮影装置に係り、特に、少なくとも所定種類の画像と所定種類の操作スイッチを表示するための表示手段と、前記表示手段の表示面上に設けられると共に、表面に触れることにより前記表示手段に表示された前記操作スイッチを指定可能なタッチパネルと、を有する画像表示装置及び当該画像表示装置を備えた撮影装置に関する。
【背景技術】
【０００２】
近年、ＣＣＤ（Charge Coupled Device）エリアセンサ、ＣＭＯＳ（Complementary Metal Oxide Semiconductor）イメージ・センサ等の撮像素子の高解像度化に伴い、デジタルカメラ、携帯電話機、ＰＤＡ（Personal Digital Assistant，携帯情報端末）等の撮影機能を有する情報機器の需要が急増している。
【０００３】
また、この種の情報機器には、撮影画像等の画像や、各種機能を設定するためのメニュー画面、操作スイッチ等を表示するための表示装置が搭載されているものが多く、更には、当該メニュー画面により表示されたメニューや操作スイッチ等から所望のものを、表示装置の表示面上に指先等によって触れることにより指定可能なタッチパネルが表示装置の表示面上に設けられているものもある。
【０００４】
そして、以上のような表示装置の表示面上に触れることにより操作可能なタッチパネル機能を有する情報機器における操作性の向上に寄与する技術として、特許文献１には、表示手段（表示装置）により、タッチ操作可能なメニュー表示エリアを画像表示エリアとは別個に表示する技術が開示されている。
【特許文献１】特開２００２−２７３６８公報
【発明の開示】
【発明が解決しようとする課題】
【０００５】
しかしながら、上記特許文献１に開示されている技術では、表示手段に対してメニュー表示エリアと画像表示エリアを共存させているため、例えば、デジタルカメラ等のように撮影画像や再生画像等の画像をできるだけ大きく表示したい場合においても画像表示エリアがメニュー表示エリアを除く領域に制限されてしまう結果、画像を表示手段の表示領域に対して最大限の大きさで表示することができない、という問題点があった。
【０００６】
なお、この問題は、タッチパネル機能を有する情報機器であれば、撮影機能を有しないものであっても起こり得る問題である。
【０００７】
本発明は上記問題点を解決するためになされたものであり、画像の表示領域を最大限に確保しつつ、操作指示入力のための操作スイッチを表示することのできる画像表示装置及び撮影装置を提供することを目的とする。
【課題を解決するための手段】
【０００８】
上記目的を達成するために、本発明の画像表示装置は、少なくとも所定種類の画像と所定種類の操作スイッチを表示するための表示手段と、前記表示手段の表示面上に設けられると共に、表面に触れることにより前記表示手段に表示された前記操作スイッチを指定可能なタッチパネルと、前記表示手段に前記操作スイッチを表示させるとき及び前記表示手段に表示された前記操作スイッチを非表示とするときに操作される操作手段と、前記表示手段の表示領域の全域又は略全域により前記画像が表示されているときで、かつ前記操作手段が前記表示手段に前記操作スイッチを表示させるために操作されたとき、表示中の前記画像を縮小して表示すると共に、これによって前記表示領域に生じた空き領域に前記操作スイッチを表示するように前記表示手段を制御し、前記表示手段により前記画像及び前記操作スイッチが個別に表示されているときで、かつ前記操作手段が前記操作スイッチを非表示とするために操作されたとき、表示中の前記操作スイッチを非表示とすると共に、これによって前記表示領域に生じた空き領域も表示対象領域とするように表示中の前記画像を拡大して表示するように前記表示手段を制御する制御手段と、を備えている。
【０００９】
本発明の画像表示装置は、少なくとも所定種類の画像と所定種類の操作スイッチが表示手段によって表示されるものとされており、表面に触れることにより前記表示手段に表示された前記操作スイッチを指定可能なタッチパネルが前記表示手段の表示面上に設けられている。なお、上記表示手段には、液晶ディスプレイ、プラズマ・ディスプレイ、有機ＥＬディスプレイ、ＣＲＴディスプレイ等の各種ディスプレイが含まれる。
【００１０】
ここで、本発明は、前記表示手段に前記操作スイッチを表示させるとき及び前記表示手段に表示された前記操作スイッチを非表示とするときに操作手段が操作されるものとされており、制御手段により、前記表示手段の表示領域の全域又は略全域により前記画像が表示されているときで、かつ前記操作手段が前記表示手段に前記操作スイッチを表示させるために操作されたとき、表示中の前記画像が縮小されて表示されると共に、これによって前記表示領域に生じた空き領域に前記操作スイッチが表示されるように前記表示手段が制御され、前記表示手段により前記画像及び前記操作スイッチが個別に表示されているときで、かつ前記操作手段が前記操作スイッチを非表示とするために操作されたとき、表示中の前記操作スイッチが非表示とされると共に、これによって前記表示領域に生じた空き領域も表示対象領域とされるように表示中の前記画像が拡大されて表示されるように前記表示手段が制御される。
【００１１】
このように、本発明の画像表示装置によれば、表示手段に操作スイッチを表示させるとき及び表示手段に表示された操作スイッチを非表示とするときに操作される操作手段を有すると共に、表示手段の表示領域の全域又は略全域により画像が表示されているときで、かつ操作手段が表示手段に操作スイッチを表示させるために操作されたとき、表示中の前記画像を縮小して表示すると共に、これによって表示領域に生じた空き領域に操作スイッチを表示するように表示手段を制御し、表示手段により前記画像及び操作スイッチが個別に表示されているときで、かつ操作手段が操作スイッチを非表示とするために操作されたとき、表示中の操作スイッチを非表示とすると共に、これによって表示領域に生じた空き領域も表示対象領域とするように表示中の前記画像を拡大して表示するように表示手段を制御しているので、画像の表示領域を最大限に確保しつつ、操作指示入力のための操作スイッチを表示することができる。
【００１２】
なお、本発明は、前記操作手段として、前記タッチパネルの表面の所定領域を用いるものとしてもよい。
【００１３】
また、本発明の前記制御手段は、前記表示手段により前記画像及び前記操作スイッチを個別に表示するときで、かつ前記画像のアスペクト比と前記表示領域のアスペクト比との関係で、前記画像を前記表示手段により表示した場合に前記表示領域に空き領域が存在するときには、前記画像を縮小することなく表示すると共に当該空き領域に前記操作スイッチを表示するように前記表示手段を制御するものとしてもよい。
【００１４】
特に、本発明は、前記画像のアスペクト比を４：３とし、かつ前記表示領域のアスペクト比を１６：９とすると共に、前記制御手段は、前記表示領域の水平方向端部に存在する前記空き領域に前記操作スイッチを表示するように前記表示手段を制御するものとしてもよい。
【００１５】
また、本発明は、前記画像のアスペクト比を１６：９とし、かつ前記表示領域のアスペクト比を４：３とすると共に、前記制御手段は、前記表示領域の垂直方向端部に存在する前記空き領域に前記操作スイッチを表示するように前記表示手段を制御するものとしてもよい。
【００１６】
一方、上記目的を達成するために、本発明の撮影装置は、請求項１乃至請求項５の何れか１項記載の画像表示装置と、撮影によって前記画像を示す画像データを取得する撮像手段と、を備えている。
【００１７】
従って、本発明の撮影装置によれば、本発明の画像表示装置と同様に作用するので、当該画像表示装置と同様に、画像の表示領域を最大限に確保しつつ、操作指示入力のための操作スイッチを表示することができる。なお、上記撮像手段には、ＣＣＤエリアセンサ、ＣＭＯＳイメージ・センサ等の固体撮像素子が含まれる。
【００１８】
なお、本発明は、装置本体の姿勢を検出する姿勢検出手段を更に備え、前記制御手段は、前記姿勢検出手段による検出結果に応じて前記操作スイッチを表示する際の前記表示領域における表示位置を決定するものとしてもよい。
【００１９】
また、本発明は、前記撮像手段により撮影を行う撮影モードと、前記撮像手段によって取得された画像データにより示される画像を前記表示手段によって再生表示する再生モードの２つの動作モードを備え、前記制御手段は、設定されている動作モードに応じて前記操作スイッチを表示する際の前記表示領域における表示位置を決定するものとしてもよい。
【発明の効果】
【００２０】
本発明によれば、表示手段に操作スイッチを表示させるとき及び表示手段に表示された操作スイッチを非表示とするときに操作される操作手段を有すると共に、表示手段の表示領域の全域又は略全域により画像が表示されているときで、かつ操作手段が表示手段に操作スイッチを表示させるために操作されたとき、表示中の前記画像を縮小して表示すると共に、これによって表示領域に生じた空き領域に操作スイッチを表示するように表示手段を制御し、表示手段により前記画像及び操作スイッチが個別に表示されているときで、かつ操作手段が操作スイッチを非表示とするために操作されたとき、表示中の操作スイッチを非表示とすると共に、これによって表示領域に生じた空き領域も表示対象領域とするように表示中の前記画像を拡大して表示するように表示手段を制御しているので、画像の表示領域を最大限に確保しつつ、操作指示入力のための操作スイッチを表示することができる、という効果が得られる。
【発明を実施するための最良の形態】
【００２１】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２２】
［第１の実施の形態］
まず、図１を参照して、本実施の形態に係るデジタルカメラ１０の外観上の構成を説明する。
【００２３】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ（所謂シャッター）５６Ａと、電源スイッチ５６Ｂと、モード切替スイッチ５６Ｃと、が備えられている。
【００２４】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２５】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２６】
また、モード切替スイッチ５６Ｃは、撮影を行うモードである撮影モード及び被写体像を後述するＬＣＤ３８に再生するモードである再生モードの何れかのモードに設定する際に回転操作される。
【００２７】
一方、デジタルカメラ１０の背面には、前述のファインダ２０の接眼部と、撮影された被写体像やメニュー画面等を表示する液晶ディスプレイ（以下、「ＬＣＤ」という。）３８と、ＬＣＤ３８の表示面上に設置された感圧式のタッチパネル６０と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。また、本実施の形態に係るデジタルカメラ１０では、ＬＣＤ３８として、表示領域のアスペクト比が１６：９とされた所謂ワイドサイズのものが適用されている。
【００２８】
一方、デジタルカメラ１０の背面には、表示切替スイッチ５６Ｅと、操作スイッチ表示スイッチ５６Ｆと、が備えられている。
【００２９】
本実施の形態に係るデジタルカメラ１０には、ユーザによる指示に応じてＬＣＤ３８による表示画像のアスペクト比を１６：９と４：３との間で切り替えることのできるアスペクト切替機能が搭載されている。上記表示切替スイッチ５６Ｅは、当該アスペクト切替機能により表示画像のアスペクト比を切り替える際に押圧操作されるものである。
【００３０】
また、本実施の形態に係るデジタルカメラ１０には、ユーザによる指示に応じて所定種類の操作スイッチのＬＣＤ３８による表示及び非表示を切り替えることのできる操作スイッチ表示機能が搭載されている。上記操作スイッチ表示スイッチ５６Ｆは、当該操作スイッチ表示機能により操作スイッチの表示及び非表示を切り替える際に押圧操作されるものである。
【００３１】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、が備えられている。
【００３２】
次に、図２を参照して、本実施の形態に係るデジタルカメラ１０の電気系の要部構成を説明する。
【００３３】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。なお、本実施の形態に係るＣＣＤ２４は、撮像された画像のアスペクト比が１６：９のものとされている。
【００３４】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３５】
なお、デジタル信号処理部３０は、所定容量のラインバッファを内蔵し、入力されたデジタルデータを後述するメモリ４８の所定領域に直接記憶させる制御も行う。
【００３６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３７】
一方、デジタルカメラ１０は、被写体像やメニュー画面、所定種類の操作スイッチ等をＬＣＤ３８に表示させるための信号を生成してＬＣＤ３８に供給するＬＣＤインタフェース３６と、タッチパネル６０の作動の制御を行うタッチパネルインタフェース６２と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３８】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３９】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００４０】
デジタル信号処理部３０、ＬＣＤインタフェース３６、タッチパネルインタフェース６２、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、タッチパネルインタフェース６２を介したタッチパネル６０の作動の制御、メモリ４８及びメモリカード５２へのメモリインタフェース４６ないし外部メモリインタフェース５０を介したアクセスを各々行うことができる。なお、本実施の形態に係るタッチパネル６０は、接触（タッチ）された位置の座標を示す座標情報を出力するものとされており、ＣＰＵ４０は、当該座標情報に基づいて、ユーザにより接触された位置を特定することができる。
【００４１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４２】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４３】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４４】
更に、前述のレリーズスイッチ５６Ａ、電源スイッチ５６Ｂ、モード切替スイッチ５６Ｃ、十字カーソルスイッチ５６Ｄ、表示切替スイッチ５６Ｅ、操作スイッチ表示スイッチ５６Ｆ、メニュースイッチ等の各種スイッチ（同図では、「操作部５６」と総称。）はＣＰＵ４０に接続されており、ＣＰＵ４０は、これらの操作部５６に対する操作状態を常時把握できる。
【００４５】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４６】
次に、本実施の形態に係るデジタルカメラ１０の撮影時における全体的な動作について簡単に説明する。
【００４７】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４８】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４９】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５０】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５１】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５２】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５３】
次に、図３を参照して、操作スイッチ表示機能を実行する際のデジタルカメラ１０の作用を説明する。なお、図３は、ＬＣＤ３８の表示領域の全域により撮影画像が表示されているときで、かつ操作スイッチ表示スイッチ５６Ｆが押圧操作されたときと、ＬＣＤ３８により撮影画像及び操作スイッチが個別に表示されているときで、かつ操作スイッチ表示スイッチ５６Ｆが押圧操作されたときに、デジタルカメラ１０のＣＰＵ４０によって実行される画像表示処理プログラムの処理の流れを示すフローチャートであり、当該プログラムはメモリ４８の所定領域に予め記憶されている。
【００５４】
まず、ステップ１００では、この時点でＬＣＤ３８の表示領域の全域により撮影画像が表示されているか否かを判定することにより、操作スイッチ表示スイッチ５６Ｆに対する押圧操作がＬＣＤ３８への操作スイッチの表示を指示するものであるか否かを判定し、肯定判定となった場合はステップ１０２に移行する。
【００５５】
ステップ１０２では、ＬＣＤ３８に表示されている撮影画像が所定縮小倍率（ここでは、９０％）で縮小されて表示されるようにＬＣＤインタフェース３６を介してＬＣＤ３８を制御し、次のステップ１０４では、上記ステップ１０２の処理によってＬＣＤ３８の表示領域に生じた空き領域に所定種類の操作スイッチが表示されるようにＬＣＤインタフェース３６を介してＬＣＤ３８を制御し、その後に本画像表示処理プログラムを終了する。
【００５６】
なお、本実施の形態に係る画像表示処理プログラムでは、上記撮影画像の縮小表示を、ＣＰＵ４０により、当該撮影画像を示す画像データに対して従来既知の技術により画像縮小処理を施すことによってソフトウェア的に行うものとしているが、これに限らず、例えば、ＬＣＤ３８により表示される撮影画像を予め設定された縮小倍率で縮小する処理を行う電子回路を有する機能デバイスをデジタルカメラ１０に予め設けておき、当該機能デバイスによってハードウェア的に行うこともできる。
【００５７】
以上のステップ１０２及びステップ１０４の処理により、本画像表示処理プログラムの実行開始時におけるＬＣＤ３８の表示領域３８Ａにおける表示状態が、一例として図４（Ａ）に示されるように撮影画像が表示領域３８Ａの全域に表示されている状態とされていた場合、一例として図４（Ｂ）に示されるように、撮影画像が縮小されて表示されると共に、当該縮小によって表示領域３８Ａの水平方向端部に生じた空き領域に所定種類の操作スイッチが表示されている状態に変化することになる。
【００５８】
なお、同図に示す例では、所定種類の操作スイッチとして、表示画像を拡大表示させる際に指定されるテレスイッチ３９Ａと、表示画像を縮小表示させる際に指定されるワイドスイッチ３９Ｂと、マクロ撮影を行う際に指定されるマクロスイッチ３９Ｃと、表示画像の明るさを切り替える際に指定される明度スイッチ３９Ｄと、表示画像の色合いを切り替える際に指定される色合いスイッチ３９Ｅと、を適用している。
【００５９】
一方、上記ステップ１００において否定判定となった場合は、操作スイッチ表示スイッチ５６Ｆに対する押圧操作がＬＣＤ３８に表示されている操作スイッチの非表示への切り替えを指示するものであったものと見なしてステップ１０６に移行し、ＬＣＤ３８に表示されている操作スイッチが非表示状態となるようにＬＣＤインタフェース３６を介してＬＣＤ３８を制御し、次のステップ１０８では、上記ステップ１０６の処理によってＬＣＤ３８の表示領域に生じた空き領域も表示対象領域とするように、撮影画像が所定拡大倍率（ここでは、撮影画像がＬＣＤ３８の表示領域の全域に表示される倍率）で拡大されて表示されるようにＬＣＤインタフェース３６を介してＬＣＤ３８を制御し、その後に本画像表示処理プログラムを終了する。
【００６０】
以上のステップ１０６及びステップ１０８の処理により、本画像表示処理プログラムの実行開始時におけるＬＣＤ３８の表示領域３８Ａにおける表示状態が、一例として図４（Ｂ）に示されるものとされていた場合、一例として図４（Ａ）に示されるように、各種スイッチ３９Ａ〜３９Ｅが非表示状態になると共に、撮影画像が元のサイズで表示されることになる。
【００６１】
なお、本画像表示処理プログラムによってＬＣＤ３８に表示された各種スイッチ３９Ａ〜３９Ｅの何れかがユーザによりタッチパネル６０を介して接触指定された際に、ＣＰＵ４０は、タッチパネル６０からタッチパネルインタフェース６２を介して入力された座標情報に基づいて特定される接触位置に表示されている操作スイッチに対応する処理を実行することになる。
【００６２】
以上詳細に説明したように、本実施の形態では、表示手段（ここでは、ＬＣＤ３８）に操作スイッチ（ここでは、スイッチ３９Ａ〜３９Ｅ）を表示させるとき及び表示手段に表示された操作スイッチを非表示とするときに操作される操作手段（ここでは、操作スイッチ表示スイッチ５６Ｆ）を有すると共に、表示手段の表示領域の全域により画像が表示されているときで、かつ操作手段が表示手段に操作スイッチを表示させるために操作されたとき、表示中の画像を縮小して表示すると共に、これによって表示領域に生じた空き領域に操作スイッチを表示するように表示手段を制御し、表示手段により画像及び操作スイッチが個別に表示されているときで、かつ操作手段が操作スイッチを非表示とするために操作されたとき、表示中の操作スイッチを非表示とすると共に、これによって表示領域に生じた空き領域も表示対象領域とするように表示中の画像を拡大して表示するように表示手段を制御しているので、画像の表示領域を最大限に確保しつつ、操作指示入力のための操作スイッチを表示することができる。
【００６３】
なお、本実施の形態では、ＬＣＤの表示領域における水平方向両端部の空き領域に操作スイッチを表示する場合について説明したが、本発明はこれに限定されるものではなく、ＬＣＤの表示領域における水平方向の一方の端部の空き領域のみに操作スイッチを表示する形態や、当該表示領域における垂直方向の少なくとも一方の端部の空き領域に操作スイッチを表示する形態とすることもできる。この場合も、本実施の形態と同様の効果を奏することができる。
【００６４】
［第２の実施の形態］
上記第１の実施の形態では、ＬＣＤ３８による操作スイッチの表示及び非表示の切り替えを指示するためにハードウェアのスイッチ（操作スイッチ表示スイッチ５６Ｆ）を設けた場合の形態例について説明したが、本第２の実施の形態では、当該スイッチを設けることなく本発明を実現する場合の形態例について説明する。なお、本第２の実施の形態に係るデジタルカメラの構成は、操作スイッチ表示スイッチ５６Ｆが設けられていない点を除いて上記第１の実施の形態に係るデジタルカメラ１０と同様であるので、ここでの説明は省略する。
【００６５】
本第２の実施の形態に係る操作スイッチ表示機能は、一例として図５に示されるように、ユーザによりタッチパネル６０の所定領域（ここでは、ＬＣＤ３８の表示領域３８Ａにおける略中央部に対応する領域）が触れられることにより操作スイッチのＬＣＤ３８に対する表示及び非表示を切り替えるものとされている。
【００６６】
従って、本第２の実施の形態に係るデジタルカメラ１０では、図３に示される画像表示処理プログラムが、ＬＣＤ３８の表示領域の全域により撮影画像が表示されているときで、かつタッチパネル６０の上記所定領域が触れられたときと、ＬＣＤ３８により撮影画像及び操作スイッチが個別に表示されているときで、かつタッチパネル６０の上記所定領域が触れられたときにＣＰＵ４０によって実行される。
【００６７】
以上詳細に説明したように、本実施の形態では、上記第１の実施の形態と同様の効果を奏することができると共に、本発明の操作手段として、タッチパネルの表面の所定領域を用いているので、本発明の操作手段として新たな部材を設ける必要がなくなり、この結果として低コスト化及び小型化が可能となる。
【００６８】
［第３の実施の形態］
本第３の実施の形態では、ＬＣＤ３８により撮影画像及び操作スイッチを表示するときで、かつ撮影画像のアスペクト比とＬＣＤ３８の表示領域のアスペクト比との関係で、撮影画像をＬＣＤ３８により表示した場合にＬＣＤ３８の表示領域に空き領域が存在するときには、撮影画像を縮小することなく表示すると共に当該空き領域に操作スイッチを表示する場合の形態例について説明する。なお、本第３の実施の形態に係るデジタルカメラの構成は、上記第１の実施の形態に係るデジタルカメラ１０と同様であるので、ここでの説明は省略する。また、本実施の形態に係るデジタルカメラ１０においても、第１の実施の形態に係るデジタルカメラ１０と同様の画像表示処理プログラム（図３参照。）が第１の実施の形態と同様のタイミングで実行される。
【００６９】
次に、図６を参照して、ＬＣＤ３８によって操作スイッチが表示されている状態でアスペクト切替機能を実行する際の本第３の実施の形態に係るデジタルカメラ１０の作用を説明する。なお、図６は、ＬＣＤ３８によって操作スイッチが表示されているときで、かつ表示切替スイッチ５６Ｅが押圧操作されたときに、デジタルカメラ１０のＣＰＵ４０によって実行されるアスペクト切替処理プログラムの処理の流れを示すフローチャートであり、当該プログラムもメモリ４８の所定領域に予め記憶されている。
【００７０】
まず、ステップ２００では、この時点でＬＣＤ３８に表示されている撮影画像のアスペクト比が１６：９となっているか否かを判定することにより、表示切替スイッチ５６Ｅに対する押圧操作が表示画像のアスペクト比の４：３への切り替えを指示するものであるか否かを判定し、肯定判定となった場合はステップ２０２に移行する。
【００７１】
ステップ２０２では、ＬＣＤ３８に表示されている撮影画像のアスペクト比が４：３となるようにＬＣＤインタフェース３６を介してＬＣＤ３８を制御し、次のステップ２０４では、上記ステップ２０２の処理によってＬＣＤ３８の表示領域に生じた空き領域に所定種類の操作スイッチが表示されるようにＬＣＤインタフェース３６を介してＬＣＤ３８を制御し、その後に本アスペクト切替処理プログラムを終了する。
【００７２】
なお、本実施の形態に係るアスペクト切替処理プログラムでは、上記撮影画像のアスペクト比の４：３への変更を、ＣＰＵ４０により、当該撮影画像を示す画像データを、当該撮影画像の水平方向両端部における所定幅の領域を削除するように変換することによってソフトウェア的に行うものとしているが、これに限らず、例えば、ＬＣＤ３８により表示される撮影画像の水平方向両端部における所定幅の領域を非表示状態とする処理を行う電子回路を有する機能デバイスをデジタルカメラ１０に予め設けておき、当該機能デバイスによってハードウェア的に行うこともできる。
【００７３】
以上のステップ２０２及びステップ２０４の処理により、本アスペクト切替処理プログラムの実行開始時におけるＬＣＤ３８の表示領域３８Ａにおける表示状態が、一例として図４（Ｂ）に示されるように撮影画像が縮小されて表示されている状態とされていた場合、一例として図７に示されるように、撮影画像が、縮小されることなく、アスペクト比が４：３に変換された状態で表示されると共に、当該アスペクト比の変換によって表示領域３８Ａの水平方向端部に生じた空き領域に所定種類の操作ボタンが表示されている状態に変化することになる。
【００７４】
一方、上記ステップ２００において否定判定となった場合は、表示切替スイッチ５６Ｅに対する押圧操作が表示画像のアスペクト比の１６：９への切り替えを指示するものであったものと見なしてステップ２０６に移行し、ＬＣＤ３８に表示されている撮影画像のアスペクト比が１６：９となるようにＬＣＤインタフェース３６を介してＬＣＤ３８を制御し、その後に本アスペクト切替処理プログラムを終了する。
【００７５】
以上のステップ２０６の処理により、本アスペクト切替処理プログラムの実行開始時におけるＬＣＤ３８の表示領域３８Ａにおける表示状態が、一例として図７に示されるものとされていた場合、一例として図４（Ｂ）に示されるように、撮影画像が１６：９のアスペクト比、かつ縮小された状態で表示されることになる。
【００７６】
以上詳細に説明したように、本実施の形態では、上記第１の実施の形態と同様の効果を奏することができると共に、表示手段（ここでは、ＬＣＤ３８）により画像及び操作スイッチを個別に表示するときで、かつ画像のアスペクト比と表示領域のアスペクト比との関係で、画像を表示手段により表示した場合に表示領域に空き領域が存在するときには、画像を縮小することなく表示すると共に当該空き領域に操作スイッチを表示するように表示手段を制御しているので、画像を縮小することなく操作スイッチを表示することができる。
【００７７】
［第４の実施の形態］
上記第３の実施の形態では、ＬＣＤ３８の表示領域のアスペクト比が１６：９であり、かつ表示画像のアスペクト比が４：３に変更された際に、当該変更に応じてＬＣＤ３８の表示領域に生じる空き領域を利用して操作スイッチを表示する場合の形態例について説明したが、本第４の実施の形態では、ＬＣＤ３８の表示領域のアスペクト比が４：３であり、かつ表示画像のアスペクト比が１６：９に変更された際に、当該変更に応じてＬＣＤ３８の表示領域に生じる空き領域を利用して操作スイッチを表示する場合の形態例について説明する。
【００７８】
まず、図８を参照して、本第４の実施の形態に係るデジタルカメラ１０’の構成について説明する。なお、図８における図１と同一の構成要素には図１と同一の符号を付して、その説明を省略する。
【００７９】
図８に示すように、本第４の実施の形態に係るデジタルカメラ１０’は、ＬＣＤ３８に代えて、表示領域のアスペクト比が４：３とされたＬＣＤ３８’が適用されている点と、タッチパネル６０に代えて、感圧領域がＬＣＤ３８’の表示領域に対応するものとされたタッチパネル６０’が適用されている点が、上記第１の実施の形態に係るデジタルカメラ１０と異なっている。従って、本第４の実施の形態に係るデジタルカメラ１０’の電気系の要部構成は、図２に示されるものに対して、ＬＣＤ３８に代えてＬＣＤ３８’が適用され、タッチパネル６０に代えてタッチパネル６０’が適用されたものとなる。また、本第４の実施の形態に係るデジタルカメラ１０’では、ＣＣＤ２４として、撮像された画像のアスペクト比が４：３のものが適用されている。
【００８０】
なお、本実施の形態に係るデジタルカメラ１０’においても、第１の実施の形態に係るデジタルカメラ１０と同様の画像表示処理プログラム（図３参照。）が第１の実施の形態と同様のタイミングで実行される。
【００８１】
次に、図９を参照して、ＬＣＤ３８’によって操作スイッチが表示されている状態でアスペクト切替機能を実行する際の本第４の実施の形態に係るデジタルカメラ１０’の作用を説明する。なお、図９は、ＬＣＤ３８’によって操作スイッチが表示されているときで、かつ表示切替スイッチ５６Ｅが押圧操作されたときに、デジタルカメラ１０’のＣＰＵ４０によって実行されるアスペクト切替処理プログラムの処理の流れを示すフローチャートであり、当該プログラムもメモリ４８の所定領域に予め記憶されている。
【００８２】
まず、ステップ３００では、この時点でＬＣＤ３８’に表示されている撮影画像のアスペクト比が４：３となっているか否かを判定することにより、表示切替スイッチ５６Ｅに対する押圧操作が表示画像のアスペクト比の１６：９への切り替えを指示するものであるか否かを判定し、肯定判定となった場合はステップ３０２に移行する。
【００８３】
ステップ３０２では、ＬＣＤ３８’に表示されている撮影画像のアスペクト比が１６：９となるようにＬＣＤインタフェース３６を介してＬＣＤ３８’を制御し、次のステップ３０４では、上記ステップ３０２の処理によってＬＣＤ３８’の表示領域に生じた空き領域に所定種類の操作スイッチが表示されるようにＬＣＤインタフェース３６を介してＬＣＤ３８’を制御し、その後に本アスペクト切替処理プログラムを終了する。
【００８４】
なお、本実施の形態に係るアスペクト切替処理プログラムでは、上記撮影画像のアスペクト比の１６：９への変更を、ＣＰＵ４０により、当該撮影画像を示す画像データを、当該撮影画像の垂直方向両端部における所定幅の領域を削除するように変換することによってソフトウェア的に行うものとしているが、これに限らず、例えば、ＬＣＤ３８’により表示される撮影画像の垂直方向両端部における所定幅の領域を非表示状態とする処理を行う電子回路を有する機能デバイスをデジタルカメラ１０’に予め設けておき、当該機能デバイスによってハードウェア的に行うこともできる。
【００８５】
以上のステップ３０２及びステップ３０４の処理により、本アスペクト切替処理プログラムの実行開始時におけるＬＣＤ３８’の表示領域３８Ａにおける表示状態が、一例として図１０（Ａ）に示されるように撮影画像が表示領域３８Ａの略中央部に縮小されて表示されている状態とされていた場合、一例として図１０（Ｂ）に示されるように、撮影画像が、縮小されることなくアスペクト比が１６：９に変換された状態で表示されると共に、当該アスペクト比の変換によって表示領域３８Ａの垂直方向端部に生じた空き領域に所定種類の操作ボタンが表示されている状態に変化することになる。
【００８６】
一方、上記ステップ３００において否定判定となった場合は、表示切替スイッチ５６Ｅに対する押圧操作が表示画像のアスペクト比の４：３への切り替えを指示するものであったものと見なしてステップ３０６に移行し、ＬＣＤ３８’に表示されている撮影画像のアスペクト比が４：３となるようにＬＣＤインタフェース３６を介してＬＣＤ３８’を制御し、その後に本アスペクト切替処理プログラムを終了する。
【００８７】
以上のステップ３０６の処理により、本アスペクト切替処理プログラムの実行開始時におけるＬＣＤ３８’の表示領域３８Ａにおける表示状態が、一例として図１０（Ｂ）に示されるものとされていた場合、一例として図１０（Ａ）に示されるように、撮影画像が４：３のアスペクト比、かつ縮小された状態で表示されることになる。
【００８８】
本実施の形態においても、上記第３の実施の形態と同様の効果を奏することができる。
【００８９】
なお、本実施の形態では、ＬＣＤの表示領域における垂直方向の一端部の空き領域のみに操作スイッチを表示する場合について説明したが、本発明はこれに限定されるものではなく、ＬＣＤの表示領域における垂直方向の両端部の空き領域に操作スイッチを表示する形態とすることもできる。この場合も、本実施の形態と同様の効果を奏することができる。
【００９０】
［第５の実施の形態］
本第５の実施の形態では、デジタルカメラに設定されている動作モード（ここでは、撮影モード及び再生モードの何れかのモード）と、撮影時におけるデジタルカメラの姿勢（ここでは、通常撮影の姿勢（撮影画像が横長となる姿勢であり、図１に示される姿勢）と縦向き撮影の姿勢（撮影画像が縦長となる姿勢であり、図１に示される姿勢を同図左回り方向に略９０°回転させた姿勢）の何れかの姿勢）に応じて操作スイッチのＬＣＤに対する表示位置を切り替える場合の形態例について説明する。
【００９１】
まず、図１１を参照して、本第５の実施の形態に係るデジタルカメラ１０の構成について説明する。なお、図１１における図２と同一の構成要素には図２と同一の符号を付して、その説明を省略する。
【００９２】
図１１に示すように、本第５の実施の形態に係るデジタルカメラ１０は、当該デジタルカメラ１０の姿勢を検出する姿勢センサ６４が備えられている点のみが上記第１の実施の形態に係るデジタルカメラ１０と異なっており、当該姿勢センサ６４の検出結果を示す情報を出力する出力端はＣＰＵ４０に接続されている。従って、ＣＰＵ４０は、デジタルカメラ１０の姿勢を把握することができる。なお、本第５の実施の形態に係るデジタルカメラ１０では、姿勢センサ６４としてジャイロを適用しているが、これに限らず、特開平８−１２９５５７号公報に記載されている水銀センサ等、姿勢を検知することのできるセンサであれば如何なるものでも適用することができる。また、本実施の形態に係るデジタルカメラ１０においても、第１の実施の形態に係るデジタルカメラ１０と同様の画像表示処理プログラム（図３参照。）が第１の実施の形態と同様のタイミングで実行される。
【００９３】
ところで、本第５の実施の形態に係るデジタルカメラ１０には、上述したように、デジタルカメラに設定されている動作モードと、撮影時におけるデジタルカメラの姿勢に応じて操作スイッチのＬＣＤに対する表示位置を切り替える表示位置設定機能が搭載されている。
【００９４】
このため、本実施の形態に係るデジタルカメラ１０のメモリ４８の所定領域には、再生モードが設定されている場合におけるＬＣＤ３８に表示する操作スイッチの種類及び表示位置を示す情報（以下、「第１情報」という。）と、撮影モードが設定されており、かつデジタルカメラ１０が通常撮影の姿勢となっている場合におけるＬＣＤ３８に表示する操作スイッチの種類及び表示位置を示す情報（以下、「第２情報」という。）と、撮影モードが設定されており、かつデジタルカメラ１０が縦向き撮影の姿勢となっている場合におけるＬＣＤ３８に表示する操作スイッチの種類及び表示位置を示す情報（以下、「第３情報」という。）と、が予め記憶されている。
【００９５】
次に、図１２を参照して、表示位置設定機能を実行する際の本第５の実施の形態に係るデジタルカメラ１０の作用を説明する。なお、図１２は、所定タイミング（ここでは、所定期間（例えば、０．５秒）毎の周期的なタイミング）で本第５の実施の形態に係るデジタルカメラ１０のＣＰＵ４０によって実行される表示位置設定処理プログラムの処理の流れを示すフローチャートであり、当該プログラムもメモリ４８の所定領域に予め記憶されている。
【００９６】
まず、ステップ４００では、この時点で設定されている動作モードが再生モードであるか否かを判定し、肯定判定となった場合はステップ４０２に移行して、上記第１情報をメモリ４８から読み出し、当該第１情報によって示される種類の操作スイッチが当該第１情報によって示される表示位置に表示されるように設定し、その後に本表示位置設定処理プログラムを終了する。
【００９７】
一方、上記ステップ４００において否定判定となった場合は、この時点で撮影モードが設定されているものと見なしてステップ４０４に移行し、姿勢センサ６４から入力される情報によって示されるデジタルカメラ１０の姿勢が通常撮影の姿勢であるか否かを判定して、肯定判定となった場合はステップ４０６に移行する。
【００９８】
ステップ４０６では、上記第２情報をメモリ４８から読み出し、当該第２情報によって示される種類の操作スイッチが当該第２情報によって示される表示位置に表示されるように設定し、その後に本表示位置設定処理プログラムを終了する。
【００９９】
一方、上記ステップ４０４において否定判定となった場合は、この時点で撮影モードが設定されており、かつ縦向き撮影の姿勢とされているものと見なしてステップ４０８に移行し、上記第３情報をメモリ４８から読み出して、当該第３情報によって示される種類の操作スイッチが当該第３情報によって示される表示位置に表示されるように設定し、その後に本表示位置設定処理プログラムを終了する。
【０１００】
以上の表示位置設定処理プログラムの実行により、それ以降に操作スイッチ及び撮影画像がＬＣＤ３８に表示される場合には、一例として図１３（Ａ）〜図１３（Ｃ）に示されるような表示状態となる。
【０１０１】
なお、図１３（Ａ）に示される表示状態例は、動作モードとして再生モードが設定されている場合のものであり、この場合、ユーザの親指がデジタルカメラ１０の下端部より若干上方に位置されている場合が多いため、各スイッチ３９Ａ、３９Ｂ、３９Ｄ、３９ＥがＬＣＤ３８の表示領域３８Ａにおける垂直方向略中央部に表示されている。なお、このとき、マクロスイッチ３９Ｃが表示されないのは、再生モード動作時には必要のないスイッチであるからである。
【０１０２】
一方、図１３（Ｂ）に示される表示状態例は、動作モードとして撮影モードが設定されており、かつデジタルカメラ１０が通常撮影の姿勢となっている場合のものであり、この場合、ユーザの親指がデジタルカメラ１０の下端部に位置されている場合が多いため、各スイッチ３９Ａ〜３９ＥがＬＣＤ３８の表示領域３８Ａにおける垂直方向下端部側に変位した状態で表示されている。なお、ここで、テレスイッチ３９Ａ及びワイドスイッチ３９Ｂがマクロスイッチ３９Ｃより下方に位置されているのは、テレスイッチ３９Ａ及びワイドスイッチ３９Ｂの方がマクロスイッチ３９Ｃより使用頻度が高く、親指に近い方が操作性に優れているためである。
【０１０３】
これに対し、図１３（Ｃ）に示される表示状態例は、動作モードとして撮影モードが設定されており、かつデジタルカメラ１０が縦向き撮影の姿勢となっている場合のものであり、この場合、ユーザの右手の親指がデジタルカメラ１０における同図の右上角点近傍の位置に位置されている場合が多いため、スイッチ３９Ａ〜３９ＣがＬＣＤ３８の表示領域３８Ａにおける同図右上角点側に変位した状態で表示されている。また、この場合、ユーザの左手の親指がデジタルカメラ１０における同図の左下角点近傍の位置に位置されている場合が多いため、スイッチ３９Ｄ、３９ＥがＬＣＤ３８の表示領域３８Ａにおける同図左下角点側に変位した状態で表示されている。なお、ここで、テレスイッチ３９Ａ及びワイドスイッチ３９Ｂがマクロスイッチ３９Ｃより右側に位置されているのは、テレスイッチ３９Ａ及びワイドスイッチ３９Ｂの方がマクロスイッチ３９Ｃより使用頻度が高く、右手の親指に近い方が操作性に優れているためであることは、通常撮影の姿勢の場合と同様である。
【０１０４】
以上詳細に説明したように、本実施の形態では、上記第１の実施の形態と同様の効果を奏することができると共に、装置本体の姿勢を検出する姿勢検出手段（ここでは、姿勢センサ６４）を備え、前記姿勢検出手段による検出結果に応じて操作スイッチを表示する際の表示領域における表示位置を決定しているので、操作スイッチに対する操作性を向上させることができる。
【０１０５】
また、本実施の形態では、設定されている動作モードに応じて操作スイッチを表示する際の表示領域における表示位置を決定しているので、操作スイッチに対する操作性を更に向上させることができる。
【０１０６】
なお、本実施の形態では、デジタルカメラの姿勢を検出するために姿勢センサ６４を適用した場合について説明したが、本発明はこれに限定されるものではなく、例えば、通常撮影の姿勢とされている際にユーザに接触される位置で、かつ縦向き撮影の姿勢とされている際にユーザに接触されない位置か、又は通常撮影の姿勢とされている際にユーザに接触されない位置で、かつ縦向き撮影の姿勢とされている際にユーザに接触される位置に接触センサを設けておき、当該接触センサによる検出結果に基づいてデジタルカメラの姿勢を検出する形態とすることもできる。この場合も、本実施の形態と同様の効果を奏することができる。
【０１０７】
また、上記各実施の形態で操作スイッチとして適用していた各種スイッチ３９Ａ〜３９Ｅは一例であり、これらとは異なる役割を有するスイッチを適用する形態とすることもできることは言うまでもない。この場合も、上記各実施の形態と同様の効果を奏することができる。
【０１０８】
また、上記各実施の形態では、ＬＣＤの表示領域及び表示画像のアスペクト比として１６：９又は４：３のものを適用した場合について説明したが、本発明はこれに限定されるものではなく、他のアスペクト比を適用する形態とすることもできる。この場合も、上記各実施の形態と同様の効果を奏することができる。
【０１０９】
その他、上記各実施の形態に係るデジタルカメラ１０、１０’の構成（図１，図２，図８，図１１参照。）は一例であり、本発明の主旨を逸脱しない範囲内において適宜変更可能であることは言うまでもない。
【０１１０】
また、上記各実施の形態において説明した各種処理プログラムの処理の流れ（図３，図６，図９，図１２参照。）も一例であり、本発明の主旨を逸脱しない範囲内において、各ステップの処理順序の変更、不要なステップの削除、新たなステップの追加等を行うことができることは言うまでもない。
【０１１１】
また、上記各実施の形態において示した各種画面の表示状態（図４，図５，図７，図１０，図１３参照。）も一例であり、本発明の主旨を逸脱しない範囲内において適宜変更可能であることは言うまでもない。
【０１１２】
更に、上記各実施の形態では、本発明をデジタルカメラに適用した場合について説明したが、本発明は、ＰＤＡ、携帯電話機、パーソナル・コンピュータ等、表示手段と、当該表示手段の表示面上に配置されたタッチパネルとを有する情報機器であれば如何なるものにでも適用できることは言うまでもない。
【図面の簡単な説明】
【０１１３】
【図１】第１〜第３、第５の実施の形態に係るデジタルカメラの外観を示す外観図である。
【図２】第１〜第４の実施の形態に係るデジタルカメラの電気系の要部構成を示すブロック図である。
【図３】実施の形態に係る画像表示処理プログラムの処理の流れを示すフローチャートである。
【図４】実施の形態に係るデジタルカメラのＬＣＤによる表示状態例を示す図であり、（Ａ）は撮影画像がＬＣＤの表示領域の全域に表示されている状態例を示す概略図であり、（Ｂ）は撮影画像が縮小されて表示されると共に、当該縮小によってＬＣＤの表示領域の水平方向端部に生じた空き領域に所定種類の操作ボタンが表示されている状態例を示す概略図である。
【図５】第２の実施の形態に係るデジタルカメラにおけるＬＣＤによる操作スイッチの表示及び非表示の切り替えの指示動作を示す概略図である。
【図６】第３の実施の形態に係るアスペクト切替処理プログラムの処理の流れを示すフローチャートである。
【図７】第３の実施の形態に係るデジタルカメラのＬＣＤによる表示状態例を示す図であり、撮影画像が、縮小されることなくアスペクト比が４：３に変換された状態で表示されると共に、当該アスペクト比の変換によって表示領域の水平方向端部に生じた空き領域に所定種類の操作ボタンが表示されている状態例を示す概略図である。
【図８】第４の実施の形態に係るデジタルカメラの外観を示す外観図である。
【図９】第４の実施の形態に係るアスペクト切替処理プログラムの処理の流れを示すフローチャートである。
【図１０】第４の実施の形態に係るデジタルカメラのＬＣＤによる表示状態例を示す図であり、（Ａ）は撮影画像が縮小され、アスペクト比が４：３とされた状態で表示されている状態例を示す概略図であり、（Ｂ）は撮影画像が縮小されることなく、アスペクト比が１６：９に変換された状態で表示されると共に、当該変換によってＬＣＤの表示領域の垂直方向端部に生じた空き領域に所定種類の操作ボタンが表示されている状態例を示す概略図である。
【図１１】第５の実施の形態に係るデジタルカメラの電気系の要部構成を示すブロック図である。
【図１２】第５の実施の形態に係る表示位置設定処理プログラムの処理の流れを示すフローチャートである。
【図１３】第５の実施の形態に係るデジタルカメラのＬＣＤによる表示状態例を示す図であり、（Ａ）は再生モードが設定されている場合の状態例を示す概略図であり、（Ｂ）は撮影モードが設定されており、かつデジタルカメラが通常撮影の姿勢となっている場合の状態例を示す概略図であり、（Ｃ）は撮影モードが設定されており、かつデジタルカメラが縦向き撮影の姿勢となっている場合の状態例を示す概略図である。
【符号の説明】
【０１１４】
１０、１０’    デジタルカメラ
２４    ＣＣＤ（撮像手段）
３８、３８’    ＬＣＤ（表示手段）
４０    ＣＰＵ（制御手段）
４８    メモリ
５６Ｅ    表示切替スイッチ
５６Ｆ    操作スイッチ表示スイッチ（操作手段）
６０、６０’    タッチパネル
６４    姿勢センサ（姿勢検出手段）
【図１】
2006344168.tif 000003
【図２】
2006344168.tif 000004
【図３】
2006344168.tif 000005
【図４】
2006344168.tif 000006
【図５】
2006344168.tif 000007
【図６】
2006344168.tif 000008
【図７】
2006344168.tif 000009
【図８】
2006344168.tif 000010
【図９】
2006344168.tif 000011
【図１０】
2006344168.tif 000012
【図１１】
2006344168.tif 000013
【図１２】
2006344168.tif 000014
【図１３】
2006344168.tif 000015